(57)【要約】【課題】  出力しようとする画像が異常であるか否かを判定し、画像が異常である場合はその旨を外部へ通知すると共に印字動作を中止し、転写紙の無駄な排出の防止及び異常状態の早期判定を行うことが可能な画像形成装置及び該装置における異常画像判定方法を提供する。【解決手段】  画像形成装置本体側から与えられた主走査画像領域の長さを、バッファメモリの書き込みクロックにより計数する手段と、転写紙側主走査画像領域の長さを、バッファメモリの読み出しクロックにより計数する手段と、バッファメモリの書き込みクロックにより計数された計数値及びバッファメモリの読み出しクロックにより計数された計数値とを基に、形成される画像が異常であると判断する異常画像判定機能を備えた主走査画像領域比較手段３１０とを設ける。【選択図】  図３
2005324458.tif 000002
【特許請求の範囲】
【請求項１】
電子写真方式を用いて作像を行う画像形成装置本体側の画像クロック周波数から転写紙側の画像クロック周波数に変換するリード/ライト切り替え機能を有し、主走査方向に必要なメモリ容量を有するバッファメモリと、
前記画像形成装置本体側から与えられる主走査画像領域を設定する手段と、
前記転写紙に対する主走査画像領域を設定する手段と、
を備えた画像形成装置であって、
前記画像形成装置本体側から与えられた主走査画像領域の長さを、前記バッファメモリの書き込みクロックにより計数する画像形成装置本体側主走査画像領域長さ計数手段と、
前記転写紙側主走査画像領域の長さを、前記バッファメモリの読み出しクロックにより計数する転写紙側主走査画像領域長さ計数手段と、
前記画像形成装置本体側主走査画像領域長さ計数手段により計数された計数値及び前記転写紙側主走査画像領域長さ計数手段により計数された計数値とを基に、形成される画像が異常であると判断する異常画像判定機能を備えた主走査画像領域比較手段と、
を備えたことを特徴とする画像形成装置。
【請求項２】
前記主走査画像領域比較手段は、前記画像形成装置本体側主走査画像領域長さ計数手段により計数された計数値が、前記転写紙側主走査画像領域長さ計数手段により計数された計数値より小さく、且つ、前記画像形成装置本体側主走査画像領域長さ計数手段により計数された計数値と前記転写紙側主走査画像領域長さ計数手段により計数された計数値の差分の絶対値が予め設定した値よりも大きい場合には、形成される画像が異常であると判断する異常画像判定機能を備えたことを特徴とする請求項１記載の画像形成装置。
【請求項３】
前記主走査画像領域比較手段により異常画像と判断された場合には、外部へその旨の通知をする異常画像通知手段と、
前記異常画像通知手段による通知がされると共に、印字動作を中断する印字動作中止手段と、
を備えたことを特徴とする請求項１又は２に記載の画像形成装置。
【請求項４】
バッファメモリを用いて画像形成装置本体側の画像クロック周波数から転写紙側の画像クロック周波数に変換するリード/ライト切り替えを行い、前記画像形成装置本体側から与えられる主走査画像領域を設定し、前記転写紙に対する主走査画像領域を設定する画像形成装置における異常画像判定方法であって、
前記画像形成装置本体側から与えられた主走査画像領域の長さを、前記バッファメモリの書き込みクロックにより計数する工程と、
前記転写紙側主走査画像領域の長さを、前記バッファメモリの読み出しクロックにより計数する工程と、
前記バッファメモリの書き込みクロックにより計数された計数値及び前記バッファメモリの読み出しクロックにより計数された計数値とを基に、形成される画像が異常であると判断する工程と、
を備えたことを特徴とする異常画像判定方法。
【請求項５】
前記形成される画像が異常であると判断する工程は、前記バッファメモリの書き込みクロックにより計数された計数値が、前記バッファメモリの読み出しクロックにより計数された計数値より小さく、且つ、前記バッファメモリの書き込みクロックにより計数された計数値と前記バッファメモリの読み出しクロックにより計数された計数値の差分の絶対値が予め設定した値よりも大きい場合には、形成される画像が異常であると判断することを特徴とする請求項４記載の異常画像判定方法。
【請求項６】
前記形成される画像が異常であると判断する工程により画像が異常であると判断された場合には、外部へその旨の通知をする工程と、
前記通知がされると共に、画像形成装置の印字動作を中断する工程と、
を備えたことを特徴とする請求項４又は５に記載の異常画像判定方法。
【発明の詳細な説明】
【技術分野】
【０００１】
本発明は、電子写真方式を用いて作像を行う、デジタルフルカラーレーザプリンタ、デジタルフルカラー複写機、及びデジタル複合機等の画像形成装置に関する。特には、異常画像を判定する異常画像判定機能を備えた画像形成装置及び該装置における異常画像判定方法に関する。
【背景技術】
【０００２】
従来、ホストコンピュータ等のホスト機器から出力される印字情報に基づいて印字処理を行うプリンタ装置において、印字画像の欠けを防止するため、例えば、特許文献１に示されているように、ＣＰＵが、ホストコンピュータから出力される印字制御情報をホストＩ／Ｆ入力部を介してデータメモリに書込み、この情報を解析することにより画像メモリに用紙１ページ分のドット・パターンデータを記憶し、このデータをＰＲコントローラへ出力する際、プリンタ制御情報入出力部の制御によりビデオＩ／Ｆ入出力部を介して用紙サイズの検出信号を受信し、この検出信号と画像メモリに記憶されたデータ領域を印字出力前に確認することにより、必ずドット・パターンデータの全てが用紙に印字されるよう制御する技術が開示されている。
【０００３】
また、特許文献２には、画像形成装置が不定形サイズの用紙に画像をする際に、余白領域のデータ以外の画像形成領域（実画像領域）のデータをのみ受信して用紙サイズを決定することにより、ホスト装置（上位装置）からの送信データ量を削減し、通信時間を短縮して高速のデータ転送を可能とする技術が開示されている。具体的には、画像形成領域である印字領域の主走査方向の長さをホスト装置からの受信データの画素数により判定し、その印字領域の副走査方向の長さを、受信データ中の用紙サイズのデータから判定し、それによって、主走査及び副走査の有効期間信号であるＬＧＡＴＥ信号と／ＦＧＡＴＥ信号のオン期間を決定して、不定形サイズの用紙への画像形成を制御するものである。
【０００４】
また、特許文献３には、定形サイズの記録紙に記録を行う記録装置において、記録装置が有する記録紙サイズ検出手段により検出する記録紙サイズと実際にセットされている記録紙サイズが異なるときであっても、記録紙主走査幅及び副走査長の範囲内に記録するよう画情報を副走査，主走査方向に縮小し、縮小記録を行うことで欠落のない画情報を得ることができる技術が開示されている。
【特許文献１】特開平５−１７７８９６号公報
【特許文献２】特開２００２−１１３９１８号公報
【特許文献３】特開平９−２４７３５０号公報
【発明の開示】
【発明が解決しようとする課題】
【０００５】
しかし、上述したこれらの技術は、プリンタ装置、記録装置等が、上位機器からの画像データの画素数と、それに基づく用紙サイズとの比較をすることによって、転写紙に対して、上位機器からの画像データをいかに均等に出力するかという部分に限定されている。ところが実際には、上位装置からの画像領域の設定値や画像データの過不足に対して、転写紙に対する画像領域の不一致によって、主走査ライン中でのバッファメモリ内のデータが更新されない領域が発生し、その結果同一データをバッファメモリから読み出し続けることにより、縦方向に引きずった画像、すなわち異常画像を誘発することがあった。
【０００６】
本発明は、上記のような問題点に鑑み、画像形成装置が出力しようとする画像が異常であるか否かを判定し、画像が異常である場合はその旨を外部へ通知すると共に画像形成装置の印字動作を中止することにより、異常画像の印字による転写紙の無駄な排出の防止、及び画像形成装置の異常状態の早期判定を行うことが可能な画像形成装置及び該装置における異常画像判定方法を提供することを目的とする。
【課題を解決するための手段】
【０００７】
請求項１記載の発明は、電子写真方式を用いて作像を行う画像形成装置本体側の画像クロック周波数から転写紙側の画像クロック周波数に変換するリード/ライト切り替え機能を有し、主走査方向に必要なメモリ容量を有するバッファメモリと、前記画像形成装置本体側から与えられる主走査画像領域を設定する手段と、前記転写紙に対する主走査画像領域を設定する手段とを備えた画像形成装置であって、前記画像形成装置本体側から与えられた主走査画像領域の長さを、前記バッファメモリの書き込みクロックにより計数する画像形成装置本体側主走査画像領域長さ計数手段と、前記転写紙側主走査画像領域の長さを、前記バッファメモリの読み出しクロックにより計数する転写紙側主走査画像領域長さ計数手段と、前記画像形成装置本体側主走査画像領域長さ計数手段により計数された計数値及び前記転写紙側主走査画像領域長さ計数手段により計数された計数値とを基に、形成される画像が異常であると判断する異常画像判定機能を備えた主走査画像領域比較手段とを備えた画像形成装置としたことを特徴とする。
【０００８】
請求項２記載の発明は、前記主走査画像領域比較手段は、前記画像形成装置本体側主走査画像領域長さ計数手段により計数された計数値が、前記転写紙側主走査画像領域長さ計数手段により計数された計数値より小さく、且つ、前記画像形成装置本体側主走査画像領域長さ計数手段により計数された計数値と前記転写紙側主走査画像領域長さ計数手段により計数された計数値の差分の絶対値が予め設定した値よりも大きい場合には、形成される画像が異常であると判断する異常画像判定機能を備えた請求項１記載の画像形成装置としたことを特徴とする。
【０００９】
請求項３記載の発明は、前記主走査画像領域比較手段により異常画像と判断された場合には、外部へその旨の通知をする異常画像通知手段と、前記異常画像通知手段による通知がされると共に、印字動作を中断する印字動作中止手段とを備えた請求項１又は２に記載の画像形成装置としたことを特徴とする。
【００１０】
請求項４記載の発明は、バッファメモリを用いて画像形成装置本体側の画像クロック周波数から転写紙側の画像クロック周波数に変換するリード/ライト切り替えを行い、前記画像形成装置本体側から与えられる主走査画像領域を設定し、前記転写紙に対する主走査画像領域を設定する画像形成装置における異常画像判定方法であって、前記画像形成装置本体側から与えられた主走査画像領域の長さを、前記バッファメモリの書き込みクロックにより計数する工程と、前記転写紙側主走査画像領域の長さを、前記バッファメモリの読み出しクロックにより計数する工程と、前記バッファメモリの書き込みクロックにより計数された計数値及び前記バッファメモリの読み出しクロックにより計数された計数値とを基に、形成される画像が異常であると判断する工程とを備えた異常画像判定方法としたことを特徴とする。
【００１１】
請求項５記載の発明は、前記形成される画像が異常であると判断する工程は、前記バッファメモリの書き込みクロックにより計数された計数値が、前記バッファメモリの読み出しクロックにより計数された計数値より小さく、且つ、前記バッファメモリの書き込みクロックにより計数された計数値と前記バッファメモリの読み出しクロックにより計数された計数値の差分の絶対値が予め設定した値よりも大きい場合には、形成される画像が異常であると判断する請求項４記載の異常画像判定方法としたことを特徴とする。
【００１２】
請求項６記載の発明は、前記形成される画像が異常であると判断する工程により画像が異常であると判断された場合には、外部へその旨の通知をする工程と、前記通知がされると共に、画像形成装置の印字動作を中断する工程とを備えた請求項４又は５に記載の異常画像判定方法としたことを特徴とする。
【発明の効果】
【００１３】
本発明によれば、画像形成装置が出力しようとする画像が異常であるか否かを判定し、画像が異常である場合はその旨を外部へ通知すると共に画像形成装置の印字動作を中止することにより、異常画像の印字による転写紙の無駄な排出の防止、及び画像形成装置の異常状態の早期判定を行うことが可能となる。
【発明を実施するための最良の形態】
【００１４】
本発明を実施するための最良の形態は、電子写真方式を用いて作像を行う画像形成装置本体側の画像クロック周波数から転写紙側の画像クロック周波数に変換するリード/ライト切り替え機能を有し、主走査方向に必要なメモリ容量を有するバッファメモリと、画像形成装置本体側から与えられる主走査画像領域を設定する手段と、転写紙に対する主走査画像領域を設定する手段とを備えた画像形成装置において、画像形成装置本体側から与えられた主走査画像領域の長さを、バッファメモリの書き込みクロックにより計数する画像形成装置本体側主走査画像領域長さ計数手段と、転写紙側主走査画像領域の長さを、バッファメモリの読み出しクロックにより計数する転写紙側主走査画像領域長さ計数手段と、画像形成装置本体側主走査画像領域長さ計数手段により計数された計数値及び前記転写紙側主走査画像領域長さ計数手段により計数された計数値とを基に、形成される画像が異常であると判断する異常画像判定機能を備えた主走査画像領域比較手段とを設ける。
【実施例】
【００１５】
以下に、本発明の好適な実施例を添付図面に基づいて詳細に説明する。尚、以下に述べる実施例は本発明の好適な具体例であるから、技術的に好ましい種々の限定が付されているが、本発明の範囲は、以下の説明において特に本発明を限定する旨の記載がない限り、これらの実施例に限られるものではない。
【００１６】
本実施例では、本発明が適用される画像形成装置の例として、簡略化したデジタルフルカラー複写機を採りあげる。図１は、簡略化したデジタルフルカラー複写機の制御系の概略ブロック図である。図１に示す簡略化したデジタルフルカラー複写機の制御系は、ＦＡＸ  Ｉ／Ｆ１０１、ＦＡＸ制御部１０２、ホストＩ／Ｆ１０３、プリンタ制御部１０４、原稿読取部１０５、入力画像処理部１０６、キー操作部１０７、主制御部１０８、メモリ部１０９、書込み制御部１１０、画像印字部１１１を備えている。
【００１７】
図１に示すように、ＦＡＸ  Ｉ／Ｆ１０１は、ＦＡＸアプリケーションからのＩ／Ｆで、ＦＡＸ送受信データの受け渡しのインターフェイス部分である。ＦＡＸ制御部１０２は、ＦＡＸ  Ｉ／Ｆからの送受信データを、各ＦＡＸの通信仕様等に合わせた処理を行う。ホストＩ／Ｆ１０３は、ホスト、あるいはネットワークからの画像の受け渡しを行う。プリンタ制御部１０４は、ホストＩ／Ｆからのデータを、コントローラを介して処理を行う。原稿読取部１０５は、原稿を原稿台あるいはＡＤＦ（Auto Document Feeder）から読み取る。入力画像処理部１０６は、原稿読取部１０５で読み取った原稿を入力処理する。キー操作部１０７は、本デジタルフルカラー複写機におけるアプリケーション選択、プリント枚数、用紙サイズ、拡大／縮小、ユーザプログラム（ＵＰ）、サービスプログラム（ＳＰ）の各選択/設定キー、その他の各設定と、設定モードのクリア、動作スタート／停止を行うための各種キーを含む。主制御部１０８は、複写機本体の各アプリケーションからのデータの受け渡しを総括制御し、ＣＰＵを始めとした各周辺アプリケーションを制御する制御回路との通信、タイミング制御、コマンドＩ／Ｆを司る。
【００１８】
メモリ部１０９は、ＦＡＸ制御部１０２、プリンタ制御部１０４、入力画像制御部１０６からの画像データを記憶する。書込み制御部１１０は、主制御部１０８からの画像データに対し転写紙サイズに合わせた画像領域の設定、及びＬＤ変調を行って複写機のエンジン部分に渡す。画像印字部１１１は、感光体（ＯＰＣ）、中間転写ベルト等の転写を経由して転写紙に画像を印字して定着出力する。また、キー操作部１０７からの信号に応じて各部を制御し、主制御部１０８からの命令信号により印字動作を開始させる。
【００１９】
なお、本実施例が適用されるのは、主制御部１０８、書込み制御部１１０、画像印字部１１１に対してである。また、コピー動作の場合、書込み制御部１１０の機能は、まず主制御部１０８から入力画像処理部１０６からの画像データを書込み制御部１１０に転送し、転送された画像データに基づいて画像印字部１１１を駆動し画像データを印字する。この動作を、書込み制御部１１０（図２：フルカラープリンタの書込ユニット）によって、主走査、および副走査方向に繰り返すことで複数枚数の印字を続ける。
【００２０】
次に、図２に示したフルカラープリンタエンジン部（１ベルト方式のエンジン部分）を一例とした書込み制御部１１０を含む画像印字部１１１の動作を簡単に説明する。図２は、デジタルフルカラー複写機のエンジン部概略図である。なお、図１におけるエンジン部は、図２と共通である。
【００２１】
書込ユニット（図１に示す書込み制御部１１０と同一）から露光されるレーザ光によって感光体ベルト２０１上に潜像を形成し、Ｍａｇｅｎｔａ、Ｃｙａｎ、Ｙｅｌｌｏｗ、Ｂｌａｃｋ各色の現像器２０２によりトナー現像を行う。また、帯電ブラシ２０３、除電２０４、感光体クリーニング２０５によって、感光体の除／帯電を行う。この後、中間転写ベルト２０６、クリーニング  ブラシローラ２０７、1次転写ブラシ２０８によって中間転写を行い、給紙トレイ２０９から給紙された用紙を２次転写ローラ２１０で搬送し、画像を形成する。形成された画像は、定着ユニット２１１により熱定着が行われ、分岐ユニット２１２を通り、本体への排紙、もしくは図２においては、両面機２１３へのいずれかの排紙経路を通る。以上の一連の動作によって、印字データに基づいた印刷が行われる。なお、２色以上のカラー印字の場合は、上記一連の動作を各色毎に繰り返して行う。
【００２２】
次に、本実施例のデジタルフルカラー複写機（ＬＤの数が２ＬＤ方式であるデジタルフルカラー機）の主たる動作について、図３を用いて以下に説明する。図３は、本実施例を説明するための、バッファメモリの構成図である。なお、本発明は、主に、図２に示す書込ユニット２０１、感光体ベルト、及び中間転写ベルト２０６、並びに図1に示す主制御部１０８、書込み制御部１１０、及び画像印字部１１１に対して適用される。
【００２３】
図３に示すように、上位装置（本実施例では、図３に示すバッファメモリの構成以外の画像形成装置本体側が該当する。）から、入力クロックに同期して上位装置側主走査領域（ＸＬＧ＿Ａ）、入力データが入力データＩ／Ｆ制御部３０１に入力される。同時にＸＬＧ＿Ａ信号は、主走査画像領域比較部３１０にも入力される。ここでは図示していないが、バッファメモリＩ／Ｆ＆制御部３０２は、外部Ｉ／Ｆ（上位装置等）に対して、画像データ転送のための同期信号を生成し、この同期信号に同期してバッファメモリのトグル動作を規定する信号も生成する。このバッファメモリＩ／Ｆ＆制御部３０２には、他に入力画素数、バッファメモリ書込み副走査ゲート、バッファメモリ読み出し副走査ゲート、バッファメモリ書込み同期信号が与えられ、バッファメモリ３０３とによって、入力画像データ、及びバッファメモリの出力データのトグル動作が行われる。この後、後段のパラシリ変換部３０４にて８ビット単位のデータを各動作モードに応じてシリアルデータに変換する。
【００２４】
Ｉｍａｇｅ  Ｍａｔｒｉｘ３０５は、レジスタ設定により選択された後段の各補正ブロックに応じて、ＥＶＥＮ  ＬＩＮＥ、ＯＤＤ  ＬＩＮＥそれぞれに必要なデータを抽出するブロックである。ここまでの処理を経て、上位装置からの入力データは各種画像補正部３０６に入力される。この補正部３０６には、２値／多値のエッジ処理機能、低解像度のデータを高解像度のデータに変換したときに発生する斜め線部分のギザギザ（ジャギー）を補正するジャギー補正機能、主/副１．５倍密、主/副０．５倍密等の特殊倍密処理部などが各々のパスに分かれて配置されている（不図示）。これら各機能は、セレクタ部３０７においてＣＰＵ（図１：主制御部１０８）からのレジスタ設定により一意的に選択される機構となっている。なお、どの機能も通さないスルーモードも設定可能となっている。
【００２５】
一方、転写紙側主走査領域（ＸＬＧ＿Ｐ）、転写紙側副走査領域は、ゲート制御部３０８において転写紙側画像クロックに同期して主走査画像領域信号、並びに副走査画像領域信号として生成され、画像領域設定部３０９に入力される。セレクタ３０７後の画像データは、画像領域設定部３０９によって所定の画像領域が与えられ、γ補正部、プロセスパターン生成部、ライン遅延制御部、各ＬＤの点灯/消灯制御部（以上不図示）等を介してＬＤ点灯の制御が行われ、最終的に転写紙に印字される。
【００２６】
ここで、上位装置側主走査領域（ＸＬＧ＿Ａ）と転写紙側主走査領域（ＸＬＧ＿Ｐ）並びにレジスタ設定による画像領域差分許容値（ＬＧ＿ＤＩ／ＥＦ＿ＭＡＸ）の制御を行う主走査画像領域比較部３１０について説明する。
本実施例は、ＸＬＧ＿Ａ＜ＸＬＧ＿Ｐ、且つ、｜ＸＬＧ＿Ａ―ＸＬＧ＿Ｐ｜＞ＬＧ＿ＤＩ／／ＥＦ＿ＭＡＸ）なる関係のとき、上位装置側からの主走査画像領域と転写紙側の主走査画像領域との間に異常が発生したものと判断する構成を特徴とするものである。各主走査画像領域を計数する手段の一例としては、主走査画像領域比較部３１０内に、入力クロックで上位装置側主走査領域（ＸＬＧ＿Ａ）を、転写紙側画像クロックで転写紙側主走査領域（ＸＬＧ＿Ｐ）をそれぞれカウンタにて計数し、その計数結果、あるいはカウンタの特定出力信号をモニタして比較する回路が考えられる。このような機構が実現できれば、その回路構成はどんなものでも良い。また、画像領域差分許容値（ＬＧ＿ＤＩ／ＥＦ＿ＭＡＸ）に関しては、一般的にシステム内部の遅延分を考慮した値を超えたものを設定するようにすれば良い。
【００２７】
以上の構成により、バッファメモリへ書き込まれた主走査画像領域に相当する画像データが、転写紙側の主走査画像領域よりも一定値以上小さい場合、異常画像となり得ることを判定できる。
【００２８】
また、本実施例の画像形成装置において、異常画像と判断された場合、外部への通知手段を設けると共に、印字動作を中断する手段を設ける。そして、図３を用いて既に説明したような、検出された異常ステータスを図１に示す主制御部１０８に出力することで、画像形成装置内部のＣＰＵがシステムの印字動作の停止を要求し、画像形成装置内部の残紙処理等、所定の動作を実施後、適当なタイミングで印字動作を停止する。これによって、異常画像の印字による転写紙の無駄な排出の防止と、画像形成装置の異常状態の早期判定を行うことが可能となる。
【００２９】
図４（ａ）は、画像形成装置が正常動作した場合の出力画像例を示す図である。図４（ｂ）は、画像形成装置が異常動作した場合の出力画像例を示す図である。図５（ａ）は、画像形成装置が正常動作した場合のバッファメモリに対する画像データ書込みタイミング例を示した図である。図５（ｂ）は、画像形成装置が異常動作した場合のバッファメモリに対する画像データ書込みタイミング例を示した図である。図４（ａ）に対応するバッファメモリに対するタイミングが図５（ａ）であり、これが通常要求される画像と制御タイミングとなる。図５（ｂ）に示すバッファメモリに対する画像データ書込みタイミングの場合、上位装置からの画像クロック（ＩＰＣＬＫ）、主走査ゲート信号（ＸＩＰＬＧＡＴＥ）が正常に入力されているにも関わらず、何らかの異常により、バッファメモリ制御部内のライトアドレス、並びにライトデータが更新されず、前のラインデータが残ってしまった場合に考えられる画像が、図４（ｂ）に示すような、転写紙送り方向に引きずった画像であり、無駄な出力となって排出されてしまう。
【００３０】
本発明では、システムの印字動作停止を画像形成装置のＣＰＵの制御下においたが、異常通知の他にデジタルフルカラー複写機のサービスプログラム（ＳＰモード：一般ユーザには開放していないプログラム）への設定により印字動作停止か続行かを選択可能な状態にしておくこともできる。ここで、通常のＳＰモードへの入り方は、図１のキー操作部１０７で、機械毎に設定されたキーを入力することで行なわれる場合が多い。なお、本実施例では、デジタルフルカラー複写機を例として本発明を説明したが、その種類は問わず、モノカラーの機器に対しても本発明を適用可能である。
【図面の簡単な説明】
【００３１】
【図１】本実施例の簡略化したデジタルフルカラー複写機の制御系の概略ブロック図である。
【図２】本実施例のデジタルフルカラー複写機のエンジン部概略図である。
【図３】本実施例を説明するための、バッファメモリの構成図である。
【図４】（ａ）は、画像形成装置が正常動作した場合の出力画像例を示す図である。（ｂ）は、画像形成装置が異常動作した場合の出力画像例を示す図である。
【図５】（ａ）は、画像形成装置が正常動作した場合のバッファメモリに対する画像データ書込みタイミング例を示した図である。（ｂ）は、画像形成装置が異常動作した場合のバッファメモリに対する画像データ書込みタイミング例を示した図である。
【符号の説明】
【００３２】
１０１    ＦＡＸ  Ｉ／Ｆ
１０２    ＦＡＸ制御部
１０３    ホストＩ／Ｆ
１０４    プリンタ制御部
１０５    原稿読取部
１０６    入力画像処理部
１０７    キー操作部
１０８    主制御部
１０９    メモリ部
１１０    書込み制御部
１１１    画像印字部
２０１    書込ユニット
２０２    現像器
２０３    感光体クリーニング
２０４    除電
２０５    帯電ブラシ
２０６    中間転写ベルト
２０７    クリーニング  ブラシローラ
２０８    １次転写ブラシ
２０９    給紙トレイ
２１０    ２次転写ローラ
２１１    定着ユニット
２１２    分岐ユニット
３０１    入力データＩ／Ｆ部
３０２    バッファメモリ  Ｉ／Ｆ  ＆  制御部
３０３    バッファメモリ（Ｎライン相当）
３０４    パラシリ変換部
３０５    Ｉｍａｇｅ  Ｍａｔｒｉｘ
３０６    各種画像補正部
３０７    セレクタ
３０８    ゲート制御部
３０９    画像領域設定部
３１０    主走査画像領域比較部
【図１】
2005324458.tif 000003
【図２】
2005324458.tif 000004
【図３】
2005324458.tif 000005
【図４】
2005324458.tif 000006
【図５】
2005324458.tif 000007